(57)【要約】【課題】  バスの湯水の中に入れる遠赤外線セラミックによる効果をより一層高めることができる装置を提供すること。【解決手段】  本考案の遠赤外線放射気泡浴座１は、中央部に空気噴出孔３を備えた台座４と、該台座４の上方位置に支持される遠赤外線セラミック５が収納された通気可能な底面を有する籠６と、該籠６の上方を覆うようにして前記台座４の上方位置に着脱自在に支持されその上面に通気孔７を形成した着座部８と、前記台座４の空気噴出孔３に空気を供給する空気供給部９とを具備するものである。【選択図】      図１
0003114595.tif 000002
【実用新案登録請求の範囲】
【請求項１】
中央部に空気噴出孔を備えた台座と、該台座の上方位置に支持される遠赤外線セラミックが収納された通気可能な底面を有する籠と、該籠の上方を覆うようにして前記台座の上方位置に着脱自在に支持されその上面に通気孔を形成した着座部と、前記台座の空気噴出孔に空気を供給する空気供給部とを具備することを特徴とする遠赤外線放射気泡浴座。
【考案の詳細な説明】
【技術分野】
【０００１】
この考案は家庭用の浴槽などの湯の中で座りながら遠赤外線放射を受けつつ気泡浴をするための気泡浴座に関する。
【背景技術】
【０００２】
遠赤外線セラミックを浴槽の湯水の中に入れておくと、この遠赤外線セラミックから放射される遠赤外線によって、入浴中に人の健康や老化防止に良い影響を与えることが知られている。又、湯水に含まれる遊離塩素あるいはカルキ臭やアンモニア臭を除去することが知られている。
【特許文献１】特開２００５−１１０９２６号公報
【考案の開示】
【考案が解決しようとする課題】
【０００３】
しかしながら、バスの湯水の中に入れた上記遠赤外線セラミックによる効果は認められるものの、その効果をより一層高めるためには、更なる改良が必要であった。又、湯水の中へ長時間遠赤外線セラミックを浸漬しておくとセラミックに汚れが生じて不衛生となる問題点がある。更に又、湯水にも菌が蔓延して湯水が不衛生となるとともに浴槽の表面も汚れて黒ずむという問題点がある。
【課題を解決するための手段】
【０００４】
この考案は上記問題点を解決するためになされたものであって、その手段とするところは、中央部に空気噴出孔を備えた台座と、該台座の上方位置に支持される遠赤外線セラミックが収納された通気可能な底面を有する籠と、該籠の上方を覆うようにして前記台座の上方位置に着脱自在に支持されその上面に通気孔を形成した着座部と、前記台座の空気噴出孔に空気を供給する空気供給部とを具備することを特徴とする遠赤外線放射気泡浴座である。
【考案の効果】
【０００５】
上記考案によると、使用時は湯水の入った浴槽の中に沈めておく。赤外線セラミックが収納された籠の下から、台座の中央部にある空気噴出孔を通じ、空気供給部から送られる空気が送り込まれると、この送り込まれた空気は湯水の中を気泡となって上昇して籠の底面から籠の内部へ入り遠赤外線セラミックの間を通過して更に上昇し、着座部の通気孔を通って着座している人の体に接触しつつ湯水の上面から大気中へ戻る。このような気泡の上昇中に遠赤外線セラミックに触れてその表面を洗浄しつつ遠赤外線セラミックが湯水の温度を吸収することによって発する遠赤外線をもその内部に取り込んで着座部に腰掛けている人の体に触れる。これによって、湯水を介して伝わる遠赤外線の作用に加えて気泡中に含まれている遠赤外線の作用を併せて受けることができるので、より一層効果が向上する。加えて、浴槽内の湯水がこの気泡によって浄化される効果がある。
【考案を実施するための最良の形態】
【０００６】
この考案の遠赤外線放射気泡浴座の実施例について以下図に基づいて詳細に説明する。
この考案の遠赤外線放射気泡浴座１は、図５、６に示すように、浴槽２の湯水の下方に沈めてその上方面に入浴者Ａが座って使用するものであって、主たる構成は、中央部に空気噴出孔３を備えた台座４と、該台座４の上方位置に支持される遠赤外線セラミック５が収納された通気可能な底面を有する籠６と、該籠６の上方を覆うようにして前記台座４の上方位置に着脱自在に支持されその上方面に通気孔７を形成した着座部８と、前記台座４の空気噴出孔３に空気を供給する空気供給部９とを具備している。
【０００７】
前記台座４は、図１、図４によく現われているように、周囲が四角形状をした周枠体４１の上面４２の中央部が凹んで空気噴出孔３が形成されたものである。そして周枠体４１の下端の四隅には据付座１０が嵌め込まれて座りを良くするようにしている。空気噴出孔３は、図１、図２に示すように、上面４２の中央部の凹んだ箇所に前記空気供給部９から供給される空気をばね１１によって下方の弁座１３へ付勢されている弁体１２の下側へ供給して、弁体１２をばね１１の付勢力に抗して上方へ押し上げて弁体１２と弁座１３の隙間から空気を浴槽２内へ供給し、空気供給部９からの空気の供給が止むとばね１１の付勢力によって弁体１２と弁座１３とが密着して湯水が空気供給部９方向へ逆流しないようにしている。
【０００８】
前記籠６は、遠赤外線セラミック５を入れるものであって、少なくとも底面６ａは通気可能な穴が開いていて空気噴出孔３からの空気がここを通じて籠６の内部へ導かれるようになっている。籠６は遠赤外線セラミック５の塊が漏れない大きさのメッシュの網であっても、穴を形成しているものであってもよい。遠赤外線セラミックの大きさは通常１０〜３０ｍｍ程度の径を有しているので、これ以下となるようなメッシュ又は穴を形成しておけばよい。そしてこの籠６は前記台座４の上方へ載置し支持されるようになっている。籠６の内部には通常１〜５ｋｇの遠赤外線セラミックが収納される。
【０００９】
前記着座部８は入浴中の人が腰掛けて座るところであって、前記籠６の外周に嵌め込んで前記台座４の上方へ着脱自在に載置され支持されるようになっている。この着座部８の上方面８１には適度な間隔を空けて通気孔８２が形成され、ここから籠６を通過した空気が抜け出て入浴者Ａに接触するようにしている。
【００１０】
前記空気供給部９は、図６に示すように、浴槽２の外に置かれたポンプ９１から空気管９２を通して前記台座４に設けてある空気噴出孔３へ空気を供給するものである。空気供給孔３と空気管９２の間にはワンタッチ方式の接続管９３や必要な継手９４が設けられている。
【００１１】
上記構成からなるこの遠赤外線放射気泡浴座１によると、空気供給部９のポンプ９１、空気管９２、接続管９３を通じて空気噴出孔３に導かれた空気は、弁体１２と弁座１３の隙間から気泡として出て籠６の下面から籠６の中に入って遠赤外線セラミック５と接触しつつその間を通って着座部８に形成した通気孔８２を通ってその上面８１に座っている人の体に接触しつつ大気中へ放出されてゆく。この過程において、空気供給部９を通じて送り込まれた気泡は湯水の中を上昇しつつ遠赤外線セラミック５と接触して洗浄しつつその放出された遠赤外線を含んだ気泡が上昇して人体に触れるので、遠赤外線セラミック５から放射されて直接に当る遠赤外線との相乗効果によって人体に有効に作用するのである。
【００１２】
また、送り込まれた空気は湯水を攪拌する作用を有しているので、遠赤外線セラミックに含まれるミネラル等の成分の一部が溶解して湯水に溶け込んでこれが湯水の浄化作用を促進する効果を惹起するのである。又、遊離塩素やカルキ臭、アンモニヤ臭なども除去することが可能となるのである。遠赤外線セラミック５として、海底に堆積した岩石が、造山活動による熱変性を受けて形成された鉱石を使用した場合には、遠赤外線放射量やマイナスイオンの発生量が多く、良質のトルマリン、麦飯石を凌ぐ波動効果を発揮し、酸化還元電位低下をもたらし、ミネラル溶出も多く、安全であるという利点がある。
【図面の簡単な説明】
【００１３】
【図１】この考案の遠赤外線放射気泡浴座の実施例の断面説明図。
【図２】図１の空気噴出孔の部分の拡大図。
【図３】図１の平面説明図。
【図４】図１の底面説明図。
【図５】浴槽での使用状態説明図。
【図６】浴槽での使用状態説明図。
【符号の説明】
【００１４】
１    遠赤外線気泡放射浴座
２    浴槽
３    空気噴出孔
４    台座
５    遠赤外線セラミック
６    籠
７    通気孔
８    着座部
９    空気供給部
４１  枠体
４２  上面
【図１】
0003114595.tif 000003
【図２】
0003114595.tif 000004
【図３】
0003114595.tif 000005
【図４】
0003114595.tif 000006
【図５】
0003114595.tif 000007
【図６】
0003114595.tif 000008